(57)【要約】【課題】  電気災害の発生を防止しかつ安価で簡単に施工できるキュービクル保護カバーを提供する。【解決手段】  前後壁部２と、前後壁部２に設けた両開き戸部３と、左右壁部４とにより四方壁を形成し、前後壁部２と左右壁部４の上辺の連結用縁に上部屋根部５を載置し、連結ボルト孔Ｂにボルトを貫通緊締したキュービクル保護カバーである。屋根連結用拡張保持具と、前後壁連結用及び左右壁連結用の拡張保持具を用いて複数のキュービクル保護カバーを連結し、長方形、正方形、Ｌ字形、Ｔ字形等の多種形状の構造へと拡張できる。【選択図】    図１
2005168078.tif 000002
【特許請求の範囲】
【請求項１】
合成樹脂製の複数の分割パネル板から構成される筐体であって互いに対向する前後壁部（２）及び互いに対向する左右壁部（４）とを接続した四方壁と、該四方壁上に載置された上部屋根部（５）と、該前後壁部（２）の開口にそれぞれ設けた両開き戸部（３）とを有し、
前記前後壁部（２）の各々が、前記両開き戸部（３）を収納する凹形溝枠（２Ａ）を設けた開口部と、上辺の連結用縁（２Ｂ）及び該連結用縁（２Ｂ）の左右両端の切り欠き部（２Ｂ１）と、下端のベース板縁（２Ｃ）と、左右両辺の連結用縁（２Ｄ）と、該上辺及び左右両辺の各連結用縁（２Ｂ、２Ｄ）に穿設された連結ボルト孔（Ｂ）とを具備し、
前記左右壁部（４）の各々が、凹凸形状面（４Ａ）と、上辺の連結用縁（４Ｂ）及び該連結用縁（４Ｂ）の左右両端の切り欠き部（４Ｂ１）と、下端のベース板縁（４Ｃ）と、該上辺の連結用縁（４Ｂ）及び左右両辺にそれぞれ穿設した連結ボルト孔（Ｂ）と、上部中心に穿設した換気開口部（４Ｄ）と、該凹凸形状面（４Ａ）の凸部下端に穿設した換気孔（４Ａ３）とを具備し、かつ
前記上部屋根部（５）が、上方の凸の全体形状及び該全体形状に付加形成された凹凸形状面（５Ａ）と、下辺枠（５Ｂ）と、連結用縁（５Ｃ）と、下辺枠縁（５Ｄ）と、該連結用縁（５Ｃ）に穿設した連結ボルト孔（Ｂ）とを具備すると共に、前記連結用縁（５Ｃ）が前記前後壁部（２）の上辺の連結用縁（２Ｂ）上及び前記左右壁部（４）の上辺の連結用縁（４Ｂ）上に載置されることを特徴とする
キュービクル保護カバー。
【請求項２】
前記両開き戸部（３）の各開き戸が、凹凸形状面（３Ａ）及びその周囲の枠縁（３Ｂ）を具備すると共に蝶番（Ｃ）を用いて該前後壁部（２）の凹形溝枠（２Ａ）の開口部に収納されるよう前後壁部（２）に取り付けられ、かつ
一方の開き戸は該枠縁（３Ｂ）の一部を閉鎖時に収納する凹形溝枠（３Ｃ）と閉鎖固定用のロック金具（Ｅ）とを具備すると共に、他方の開き戸は開閉操作を行うための開閉金具（Ｄ）と内部点検窓（Ｆ）とを具備することを特徴とする
請求項１に記載のキュービクル保護カバー。
【請求項３】
請求項１に記載のキュービクル保護カバーを左右方向に複数個並べかつ隣接する左右壁部（４）を取り外した状態にて連結し形成するキュービクル拡張保護カバーにおいて、
隣り合う２個のキュービクル保護カバーの連結のために用いられる屋根連結用拡張保持具（６）と、前後壁連結用拡張保持具（６”）とを有し、
前記屋根連結用拡張保持具（６）が、Ｉ型樋形状部と、該Ｉ型樋形状部の上端縁（６Ａ１）と、左右両端面における凹形状縁（６Ａ２）と、左右両端面近傍下面に設けたストッパー板（６Ａ３）とを具備し、
連結する２枚の前記前後壁部（２）の各々の連結用縁（２Ｂ）の左右両端の切り欠き部（２Ｂ１）により形成される小空間（２Ｂ２）に前記凹形状縁（６Ａ２）及び前記ストッパー板（６Ａ３）をそれぞれ差し込み可能であると共に、隣り合う前記上部屋根部（５）の各々の下辺枠縁（５Ｄ）が前記Ｉ型樋形状部内に収納される状態で該上部屋根部（５）の各々を載置可能であり、かつ、
前記前後壁連結用拡張保持具（６”）が、断面凹形状柱部と、該断面凹形状柱部の対向する側壁（６Ａ４”）と、一対の端縁（６Ａ１”）と、上端縁（６Ａ２”）と、前記側壁（６Ａ４”）に穿設された連結ボルト孔（Ｂ）とを具備し、
前記屋根連結用拡張保持具（６）の前記凹形状縁（６Ａ２）と前記ストッパー板（６Ａ３）の間に前記上端縁（６Ａ２”）を挿入可能であると共に、前記前後壁部（２）の前記左右両辺の連結用縁（２Ｄ）と前記側壁（６Ａ４”）とを前記連結ボルト孔（Ｂ）により連結可能であることを特徴とする
キュービクル拡張保護カバー。
【請求項４】
請求項１に記載のキュービクル保護カバーを前後左右方向に複数個並べかつ隣接する前後壁部（２）及び左右壁部（４）を取り外した状態にて連結し形成するキュービクル拡張保護カバーにおいて、
前後左右に配置された４個のキュービクル保護カバーの連結のために用いられる屋根連結用拡張保持具（７）と、前後壁連結用拡張保持具（６”）と、左右壁連結用拡張保持具（７”）を有し、
前記屋根連結用拡張保持具（７）が、十字型樋形状部と、該十字型樋形状部の上端縁（７Ａ１）と、４つの十字型各端面における凹形状縁（７Ａ２）と、４つの各端面近傍下面に設けたストッパー板（７Ａ３）とを具備し、
連結する２枚の前記前後壁部（２）及び連結する２枚の前記左右壁部（４）の各々の連結用縁（２Ｂ、４Ｂ）の左右両端の切り欠き部（２Ｂ１、４Ｂ１）により形成される小空間（２Ｂ２、４Ｂ２）に前記凹形状縁（７Ａ２）及び前記ストッパー板（７Ａ３）をそれぞれ差し込み可能であると共に、隣り合う前記上部屋根部（５）の各々の下辺枠縁（５Ｄ）が前記十字型樋形状部内に収納される状態で該上部屋根部（５）の各々を載置可能であり、
前記前後壁連結用拡張保持具（６”）が、断面凹形状柱部と、該断面凹形状柱部の対向する側壁（６Ａ４”）と、一対の端縁（６Ａ１”）と、上端縁（６Ａ２”）と、前記側壁（６Ａ４”）に穿設された連結ボルト孔（Ｂ）とを具備し、
前記屋根連結用拡張保持具（７）の前記凹形状縁（７Ａ２）と前記ストッパー板（７Ａ３）の間に前記上端縁（６Ａ２”）を挿入可能であると共に、前記前後壁部（２）の前記左右両辺の連結用縁（２Ｄ）と前記側壁（６Ａ４”）とを前記連結ボルト孔（Ｂ）により連結可能であり、かつ
前記左右壁連結用拡張保持具（７”）が、断面凹形状柱部と、該断面凹形状柱部の対向する側壁（７Ａ４”）と、一対の端縁（７Ａ１”）と、上端縁（７Ａ２”）と、前記一対の端縁（７Ａ１”）に穿設された連結ボルト孔（Ｂ）とを具備し、
前記屋根連結用拡張保持具（７）の前記凹形状縁（７Ａ２）と前記ストッパー板（７Ａ３）の間に前記上端縁（７Ａ２”）を挿入可能であると共に、前記左右壁部（４）の前記左右両辺と前記端縁（７Ａ１”）とを前記連結ボルト孔（Ｂ）により連結可能であることを特徴とする
キュービクル拡張保護カバー。
【発明の詳細な説明】
【技術分野】
【０００１】
本発明は、屋外設置型高圧受電盤装置（以下「キュービクル」と言う）の保護カバーに関する。特に、キュービクルを覆うべく合成樹脂を素材とする分割パネル板を組立てることにより作製されたキュービクル保護カバーに関する。
【背景技術】
【０００２】
キュービクルの材質は鋼製であるため、年数経過後の錆発生による腐食孔が生じて雨や雪が侵入したり、上部通気スリットから雨や雪が侵入したり、若しくは下部喚起用スリットから蔓草が侵入したりして内部電気配線機器へ付着し、停電事故が発生する。また、ネズミ等の小動物が侵入して感電することによっても停電事故が発生する。このように、多種多様な電気災害事故が後を立たない。
【０００３】
そこで、キュービクル自体の保護と多種多様な電気災害事故を未然に防護すること目的としてキュービクル保護カバーが設けられている。従来のキュービクル保護カバーは、キュービクル全体を防水布製シートで覆いロープでシートを固定する方法であった。あるいは、特許文献１のように換気扇等を設けた部分のみをフード等で覆うものであった。
【０００４】
【特許文献１】特開平８−１５９０８４
【発明の開示】
【発明が解決しようとする課題】
【０００５】
しかしながら、従来のキュービクル保護カバーは、防水布製シートを使用し、安価で簡単に被せることができるが、キュービクル本体外周面との間に空間も取れずロープのみで固定しているため、キュービクル本体に添着された換気用スリットの通気を遮断し、キュービクル内部を高温にし、内部機器類の故障を引き起こし電気災害事故の要因となっていた。また、通気を損なうことから錆の発生も促進され、これによっても腐食孔を生じて雨や雪が侵入し、内部機器類の故障の原因となっていた。
【０００６】
さらに、防水布製シートは暴風雨雪によって破損し易いため、破損個所より雨や雪がキュービクル本体腐食孔より侵入したり、キュービクル本体に添着された換気用スリット等からも雨や雪が侵入して、配線クリートが絶縁低下を起こし遮断機が作動したり内部器機類が濡れて漏電、停電等の弊害を引き起こしたりし、電気災害事故の要因となっていた。
【０００７】
また、シート下部より蔓草がキュービクル下部換気用スリットから侵入して上部にあるＬＢＳ充電部露出個所に接触したりして停電事故が発生する等、多種多様な電気災害事故を防止できなかった。
【０００８】
これらの電気災害事故が発生すると、電力会社の配電線を停止させて付近一体が停電することとなる。また、塩害による錆びにより劣化の進行が早くなることによって管理費がかさむという問題点もある。
【０００９】
本発明は、従来技術の有するこのような問題点に鑑みなされたものであり、その目的とするところは、次の通りである。
上述の欠点を除くべく、錆びない合成樹脂を素材とする分割パネル板の組立工法を用いてキュービクル本体を二重に覆う事により、多種多様の電気事故を防止することを目的とする。
【００１０】
これにより、長時間の停電によるコンピュータ及び各種ＯＡ機器ヘの弊害を防止し、停電による利益の損失や管理経費削減を計り、企業がより利益を得られる安定した経営環境を提供することを目的とする。
また、分割パネル板組立工法により、組立及び解体がボルト脱着作業のみで誰でも簡単に短時間で施行できると共に、各拡張保持具により簡単に拡張施工可能とすることを目的とする。さらに、キュービクル自体の補修及び新規交換よりも安価に施工できることを目的とする。
【課題を解決するための手段】
【００１１】
上記目的を達成するために、本発明は、下記の構成を提供する。
（i）  請求項１に係るキュービクル保護カバーは、合成樹脂製の複数の分割パネル板から構成される筐体であって互いに対向する前後壁部（２）及び互いに対向する左右壁部（４）とを接続した四方壁と、該四方壁上に載置された上部屋根部（５）と、該前後壁部（２）の開口にそれぞれ設けた両開き戸部（３）とを有し、
前記前後壁部（２）の各々が、前記両開き戸部（３）を収納する凹形溝枠（２Ａ）を設けた開口部と、上辺の連結用縁（２Ｂ）及び該連結用縁（２Ｂ）の左右両端の切り欠き部（２Ｂ１）と、下端のベース板縁（２Ｃ）と、左右両辺の連結用縁（２Ｄ）と、該上辺及び左右両辺の各連結用縁（２Ｂ、２Ｄ）に穿設された連結ボルト孔（Ｂ）とを具備し、
前記左右壁部（４）の各々が、凹凸形状面（４Ａ）と、上辺の連結用縁（４Ｂ）及び該連結用縁（４Ｂ）の左右両端の切り欠き部（４Ｂ１）と、下端のベース板縁（４Ｃ）と、該上辺の連結用縁（４Ｂ）及び左右両辺にそれぞれ穿設した連結ボルト孔（Ｂ）と、上部中心に穿設した換気開口部（４Ｄ）と、該凹凸形状面（４Ａ）の凸部下端に穿設した換気孔（４Ａ３）とを具備し、かつ
前記上部屋根部（５）が、上方に凸の全体形状及び該全体形状に対し付加形成された凹凸形状面（５Ａ）と、下辺枠（５Ｂ）と、連結用縁（５Ｃ）と、下辺枠縁（５Ｄ）と、該連結用縁（５Ｃ）に穿設した連結ボルト孔（Ｂ）とを具備すると共に、前記連結用縁（５Ｃ）が前記前後壁部（２）の上辺の連結用縁（２Ｂ）上及び前記左右壁部（４）の上辺の連結用縁（４Ｂ）上に載置されることを特徴とする。
【００１２】
（ii）  請求項２に係るキュービクル保護カバーは、請求項１において、前記両開き戸部（３）の各開き戸が、凹凸形状面（３Ａ）及びその周囲の枠縁（３Ｂ）を具備すると共に蝶番（Ｃ）を用いて該前後壁部（２）の凹形溝枠（２Ａ）の開口部に収納されるよう前後壁部（２）に取り付けられ、かつ
一方の開き戸は該枠縁（３Ｂ）の一部を閉鎖時に収納する凹形溝枠（３Ｃ）と閉鎖固定用のロック金具（Ｅ）とを具備すると共に、他方の開き戸は開閉操作を行うための開閉金具（Ｄ）と内部点検窓（Ｆ）とを具備することを特徴とする。
【００１３】
（iii）  請求項３に係るキュービクル拡張保護カバーは、請求項１に記載のキュービクル保護カバーを左右方向に複数個並べかつ隣接する左右壁部（４）を取り外した状態にて連結し形成するキュービクル拡張保護カバーにおいて、
隣り合う２個のキュービクル保護カバーの連結のために用いられる屋根連結用拡張保持具（６）と、前後壁連結用拡張保持具（６”）とを有し、
前記屋根連結用拡張保持具（６）が、Ｉ型樋形状部と、該Ｉ型樋形状部の上端縁（６Ａ１）と、左右両端面における凹形状縁（６Ａ２）と、左右両端面近傍下面に設けたストッパー板（６Ａ３）とを具備し、
連結する２枚の前記前後壁部（２）の各々の連結用縁（２Ｂ）の左右両端の切り欠き部（２Ｂ１）により形成される小空間（２Ｂ２）に前記凹形状縁（６Ａ２）及び前記ストッパー板（６Ａ３）をそれぞれ差し込み可能であると共に、隣り合う前記上部屋根部（５）の各々の下辺枠縁（５Ｄ）が前記Ｉ型樋形状部内に収納される状態で該上部屋根部（５）の各々を載置可能であり、かつ、
前記前後壁連結用拡張保持具（６”）が、断面凹形状柱部と、該断面凹形状柱部の対向する側壁（６Ａ４”）と、一対の端縁（６Ａ１”）と、上端縁（６Ａ２”）と、前記側壁（６Ａ４”）に穿設された連結ボルト孔（Ｂ）とを具備し、
前記屋根連結用拡張保持具（６）の前記凹形状縁（６Ａ２）と前記ストッパー板（６Ａ３）の間に前記上端縁（６Ａ２”）を挿入可能であると共に、前記前後壁部（２）の前記左右両辺の連結用縁（２Ｄ）と前記側壁（６Ａ４”）とを前記連結ボルト孔（Ｂ）により連結可能であることを特徴とする。
【００１４】
（iv）  請求項４に係るキュービクル拡張保護カバーは、請求項１に記載のキュービクル保護カバーを前後左右方向に複数個並べかつ隣接する前後壁部（２）及び左右壁部（４）を取り外した状態にて連結し形成するキュービクル拡張保護カバーにおいて、
前後左右に配置された４個のキュービクル保護カバーの連結のために用いられる屋根連結用拡張保持具（７）と、前後壁連結用拡張保持具（６”）と、左右壁連結用拡張保持具（７”）を有し、
前記屋根連結用拡張保持具（７）が、十字型樋形状部と、該十字型樋形状部の上端縁（７Ａ１）と、４つの十字型各端面における凹形状縁（７Ａ２）と、４つの各端面近傍下面に設けたストッパー板（７Ａ３）とを具備し、
連結する２枚の前記前後壁部（２）及び連結する２枚の前記左右壁部（４）の各々の連結用縁（２Ｂ、４Ｂ）の左右両端の切り欠き部（２Ｂ１、４Ｂ１）により形成される小空間（２Ｂ２、４Ｂ２）に前記凹形状縁（７Ａ２）及び前記ストッパー板（７Ａ３）をそれぞれ差し込み可能であると共に、隣り合う前記上部屋根部（５）の各々の下辺枠縁（５Ｄ）が前記十字型樋形状部内に収納される状態で該上部屋根部（５）の各々を載置可能であり、
前記前後壁連結用拡張保持具（６”）が、断面凹形状柱部と、該断面凹形状柱部の対向する側壁（６Ａ４”）と、一対の端縁（６Ａ１”）と、上端縁（６Ａ２”）と、前記側壁（６Ａ４”）に穿設された連結ボルト孔（Ｂ）とを具備し、
前記屋根連結用拡張保持具（７）の前記凹形状縁（７Ａ２）と前記ストッパー板（７Ａ３）の間に前記上端縁（６Ａ２”）を挿入可能であると共に、前記前後壁部（２）の前記左右両辺の連結用縁（２Ｄ）と前記側壁（６Ａ４”）とを前記連結ボルト孔（Ｂ）により連結可能であり、かつ
前記左右壁連結用拡張保持具（７”）が、断面凹形状柱部と、該断面凹形状柱部の対向する側壁（７Ａ４”）と、一対の端縁（７Ａ１”）と、上端縁（７Ａ２”）と、前記一対の端縁（７Ａ１”）に穿設された連結ボルト孔（Ｂ）とを具備し、
前記屋根連結用拡張保持具（７）の前記凹形状縁（７Ａ２）と前記ストッパー板（７Ａ３）の間に前記上端縁（７Ａ２”）を挿入可能であると共に、前記左右壁部（４）の前記左右両辺と前記端縁（７Ａ１”）とを前記連結ボルト孔（Ｂ）により連結可能であることを特徴とする。
【発明の効果】
【００１５】
本発明は、上述の通り構成されているので次の効果を奏する。
（i）  本発明のキュービクル保護カバーは、錆びない合成樹脂を素材として形成される、前後壁部２、前後壁部２の四方平面端内辺に付設開口された凹形枠２Ａに収納なる両開き戸部３、左右壁部４、上部屋根部５からなる分割パネル板ボルト組み立て方式によるものである。これにより、特別な組み立て技術を必要とせず、誰でも簡単に短時間で、電気を遮断することなくキュービクルに被せることができる。その結果、施設設置準備のための期間や諸経費が一切不要となるため施設設置資金が少額でよく、さらに、設置後には一切の管理費及び労力が不要となるため経営の改善ができる。
【００１６】
（ii）  本発明のキュービクル保護カバーは、キュービクル内部機器等を定期的に検診するため、キュービクル添着の開閉戸を開くため、開閉に支障なき寸法で前後壁部２に凹形溝枠２Ａを具備する開口部を設けている。前後壁部２の四方平面部には、両開き戸部３が蝶番Ｃにて取り付けられる。凹形溝枠２Ａ内には、両開き戸部３の四方辺に内方に向け連設された縁３Ｂが前後壁部２の四方平面部と同一面状態で収納される。開閉金具Ｄを回転作動させることにより、前後壁部の開口を閉鎖し密閉状態とし、雨や雪の侵入を完全に遮断することができる。
また、両開き戸部３を開くことなく、両開き戸部３の上面中心部に設けた内部点検窓Ｆを介しても視査できる。
【００１７】
（iii）  本発明のキュービクル保護カバーは、屋外設置のキュービクルへ被せるため、日光、雨、雪、蔓草等による弊害を防止するため、キュービクル本体より前後左右及び高さ等について例えば３００ｍｍ程度の空間を設けた寸法で前後壁部２、左右壁部４、上部屋根部５の分割パネル板を箱状に連結した筐体を有する。連結にあたっては、前後壁部２の左右両辺にて内方に向け連設した連結用縁２Ｄに穿設された連結ボルト孔Ｂに対し、左右壁部４の左右両辺に穿設されている連結ボルト孔Ｂが一致する位置にてボルトを貫通緊締することにより、四方壁を形成する。これと同時に、前後壁部２の上辺を外方に向け連設された連結用縁２Ｂと、左右壁部４の上辺を外方に向け連設した連結用縁３Ｂとにより四方連結用縁が形成される。
四方連結用縁の連結ボルト孔Ｂに対し、上部屋根部５に設けた連結用縁５Ｃの連結ボルト孔Ｂを一致させてボルトを貫通緊締することにより、キュービクル保護カバーの水密性を確保する。これにより、キュービクル本体の腐食防止及び内部器機類の電気災害事故防止等を完全に実現できる。
【００１８】
（iv）  四方壁の形成と同時に、前後壁部２の下端を外方に向け連設したベース板縁２Ｃと、左右壁部４の下端を外方に向け連設されたベース板縁４Ｃとにより、四方壁下端に四方ベース板縁が形成される。四方ベース板縁２Ｃと４Ｃは、キュービクル本体設置用基礎コンクリート面上にアンカーボルトで固着するだけで、簡単に設置できるため、期間や諸経費は一切不要で短時間施工できる。
【００１９】
（v）  本発明のキュービクル保護カバーは、キュービクル本体との間に３００ｍｍ程度の空間を介在させて被せられている。従って、空気が、左右壁部４の上面中心に開設した換気開口部４Ｄを通り、あるいは凹凸形状面４Ａの凸部４Ａ１の下端に穿設した換気孔４Ａ３を通ることにより、良好な通気性を確保する。キュービクル本体とキュービクル保護カバーとの間の空間は、雨、雪及び蔓草がキュービクル本体への侵入することを防止する上でも十分な間隔である。
【００２０】
（vi）  本発明の適用されるキュービクルは屋外設置型であるので、複数個を左右若しくは前後左右に連接状態で設置する場合もある。本発明のキュービクル拡張保護カバーは、屋根連結用拡張保持具６及び７、前後壁連結用拡張保持具６”並びに左右壁連結用拡張保持具７”を用いることにより、左右方向若しくは左右前後方向への多種形態の拡張を、誰でも簡単に短時間で施工することが可能となる。
【００２１】
（vii）  屋根連結用拡張保持具６は、Ｉ型樋形状部の本体と、Ｉ型樋形状部の上端縁６Ａ１と、左右両端面における凹形状縁６Ａ２と、左右両端面近傍下面に設けたストッパー板６Ａ３とを具備する。そして、連結しようとする２個のキュービクル保護カバーの隣り合う前後壁部２の各々における連結用縁２Ｂの左右両端の切り欠き部２Ｂ１により形成される空間２Ｂ２にストッパー板６Ａ３をそれぞれ差し込み可能である。さらに、連結しようとする２個のキュービクル保護カバーの隣り合う上部屋根部５の各々の下辺枠縁５ＤがＩ型樋形状部内に収納される状態で各上部屋根部５を載置可能である。各上部屋根部５を載置した後、各上部屋根部５の連結用縁５Ｃの連結ボルト孔と、各前後壁部２の連結用縁２Ｂ及び各左右壁部４の連結用縁４Ｂの連結ボルト孔とをボルトにより貫通緊締する。これにより、連結された上部屋根部５の接合部からの雨、雪の侵入を防止する水密構造を実現すると共に、左右の一方向に無限に連結拡張することができる。
【００２２】
（viii）  屋根連結用拡張保持具７は、十字型樋形状部の本体と、十字型樋形状部の上端縁７Ａ１と、４つの十字型各端面における凹形状縁７Ａ２と、４つの各端面近傍下面に設けたストッパー板７Ａ３とを具備する。これにより、前後壁部２のパネル板４枚と、左右壁部４のパネル板４枚と、上部屋根部５のパネル板４枚を同時に簡単に短時間に拡張できる。この構造をさらに連結することにより、前後方向及び左右方向の多方向に無限に連結拡張することができる。
【００２３】
（ix）  屋根連結用拡張保持具７を用いる際は、連結する２枚の前後壁部２及び連結する２枚の左右壁部４の各々の連結用縁２Ｂ、４Ｂの左右両端の切り欠き部２Ｂ１、４Ｂ１により形成される小空間２Ｂ２、４Ｂ２に凹形状縁７Ａ２及びストッパー板７Ａ３をそれぞれ差し込み可能であると共に、隣り合う上部屋根部５の各々の下辺枠縁５Ｄが十字型樋形状部内に収納される状態で上部屋根部５の各々を載置可能である。各上部屋根部５を載置した後、各上部屋根部５の連結用縁５Ｃの連結ボルト孔と、各前後壁部２の連結用縁２Ｂ及び各左右壁部４の連結用縁４Ｂの連結ボルト孔とをボルトにより貫通緊締する。これにより、連結された上部屋根部５の接合部からの雨、雪の侵入を防止する水密構造を実現する。
（x）前後壁連結用拡張保持具６”は、断面凹形状柱部と、断面凹形状柱部の対向する側壁６Ａ４”と、一対の端縁６Ａ１”と、上端縁６Ａ２”と、側壁６Ａ４”に穿設された連結ボルト孔Ｂとを具備する。また、左右壁連結用拡張保持具７”は、断面凹形状柱部と、断面凹形状柱部の対向する側壁７Ａ４”と、一対の端縁７Ａ１”と、上端縁７Ａ２”と、一対の端縁７Ａ１”に穿設された連結ボルト孔Ｂとを具備する。これらの効果については、前述のキュービクル保護カバー１の前後壁連結用拡張保持具６と同様である。
【００２４】
（xi）  拡張保持具６、６”、７及び７”を組み合わせることにより、Ｌ字形状やＴ字形状等の多種多形の拡張キュービクル保護カバーの施工を簡単に、誰でも格別な技術を必要とせず短時間に行うことができる。
【発明を実施するための最良の形態】
【００２５】
本発明によるキュービクル保護カバー並びにキュービクル拡張保護カバーの実施の形態について、各実施例を示した図面を参照しつつ説明する。
１．キュービクル保護カバー
1−i）  図１は、本発明によるキュービクル保護カバー１の斜視図である。図２は、図１のキュービクル保護カバー１の一部を切り欠いた斜視図である。図１及び図２に示す通り、キュービクル保護カバー１の筐体は、四方壁とその屋根を具備する箱状であり、四方壁は、互いに対向する前壁及び後壁からなる前後壁部２と、互いに対向する左壁及び右壁からなる左右壁部４とから構成される。屋根は、上方に凸の全体形状を具備する上部屋根部５から構成される。前後壁部２にはそれぞれ開口が設けられ、各開口には一対の開き戸からなる両開き戸部３が嵌め込まれる。
【００２６】
従って、キュービクル保護カバー１は、前後壁部２と、両開き戸部３と、左右壁部４と、上部屋根部５の合成樹脂製の分割パネル板により構成されている。
【００２７】
図３は、図１のキュービクル保護カバー１を正面方向から見た両開き戸部３を開いた状態の斜視図である。図４は、図１のキュービクル保護カバー１を背面方向から見た両開き戸部３を開いた状態の斜視図である。図３及び図４に示す通り、前後壁部２の各々には、四辺近傍を適宜幅だけ残し筐体内方に向け付設された凹形溝枠２Ａを具備する開口部が設けられる。
【００２８】
図５は、図１のキュービクル保護カバー１の要部の分解斜視図である。図５に示す通り、前後壁部２の上辺には筐体外方に向け連設した連結用縁２Ｂと、この連結用縁２Ｂの左右両端を例えばＬ形状に切り欠いた切り欠き部２Ｂ１を有する。さらに、下端には筐体外方に向けベース板縁２Ｃを連設し、左右両辺には筐体内方に向け連結用縁２Ｄを連設している。連結用縁２Ｂ及び２Ｄには、連結ボルト孔Ｂが施されている。連結ボルト孔Ｂは、例えば一定間隔に配置した複数の貫通孔を穿設したものである（以下、同様）。
【００２９】
1−ii）  図３及び図４に示す通り、両開き戸部３は、上下方向に複数の筋状の凹凸形状を設けた面３Ａを有し、その四方辺には筐体内方に向け縁３Ｂを連設している。一方の開き戸３には閉鎖時に他方の開き戸の縁３Ｂが収納される凹形溝枠３Ｃをー辺に設けている。また、両開き戸部３は蝶番Ｃにより前後壁部２に取り付けられている。前後壁部２の開口部に付設した凹形溝枠２Ａに縁３Ｂが収納された状態で密閉される。
【００３０】
図６は、前壁部の分解斜視図である。図７は、両開き戸部３の分解斜視図である。図８は、両開き戸部３の断面図である。開閉金具Ｄを回転作動することにより両方の開き戸が開閉可能となる。また、上辺のロック金具Ｅを操作することにより片戸だけを開閉できる。またさらに、両開き戸部３を開くことなくキュービクルのメーター等を管理できる内部点検窓Ｆを一方の開き戸に添着している。
【００３１】
1−iii）  図９は、左右壁部４の拡大斜視図である。図９に示す通り、左右壁部４は、上下方向に複数の筋状の凹凸形状を設けた面４Ａを具備する。その上辺には、筐体外方に向け連結用縁４Ｂを連設し、この連結用縁４Ｂの左右両端を例えばＬ形状に切り欠いた切り欠き部４Ｂ１を有する。また、下端にはベース板縁４Ｃが筐体外方に向け連設されている。左右両辺にはそれぞれ連結ボルト孔Ｂが穿設されている。上辺近傍中央には、換気開口部４Ｄが開口されると共に、好適にはこれを上方から覆う換気扇Ｇが装着されている。
【００３２】
凹凸形状面４Ａの凸部４Ａ１の下端には換気孔４Ａ３が開設され、通気を確保している。さらに好適には、換気孔４Ａ３からの雨、雪、蔓草等の侵入を防止するために内張板４Ａ２が凸部内側に取り付けられている。
【００３３】
上記の前後壁部２における左右両辺の筐体内方に向け連設された連結用縁２Ｄの連結ボルト孔Ｂに対して、左右壁部４における左右両辺の連結ボルト孔Ｂが一致する位置でボルトを貫通緊締することにより四方壁が形成される。
【００３４】
1−iv）  図５に示す通り、上部屋根部５は、上方に凸の全体形状を具備し、好適には上方に凸の湾曲面からなる全体形状を具備する。他の例として２枚の平面を山型に組合せ形成してもよい。この上方に凸の全体形状に対し、さらに複数の筋状の凹凸形状面５Ａを付加形成する。加えて、上方に凸の湾曲面の四方全周から下方に向け連設した下辺枠縁５Ｂ、さらに下辺枠縁５Ｂの下端から外方に向け連設した連結用縁５Ｃ、そして連結用縁５Ｃの先端から下方に向け連設した下辺枠縁５Ｄが設けられている。水平な連結用縁５Ｃの面上には連結ボルト孔Ｂが施されている。
【００３５】
以上の通り、四方壁が組み立てられると、前後壁部２の上辺の連結用縁２Ｂと、左右壁部４の上辺の連結用縁４Ｂとにより四方壁上辺に四方連結用縁が形成される。同時に、前後壁部２の下端のベース板縁２Ｃと、左右壁部４の下端のベース板縁４Ｃとにより四方壁下端に四方ベース板縁が形成される。
【００３６】
四方壁上辺に形成された四方連結用縁２Ｂと４Ｂの上面には、上部屋根部５の連結用縁５Ｃの下面が接合され、各連結ボルト孔Ｂが一致する位置でボルトを貫通し緊締することにより、キュービクル保護カバー１を形成する。また、四方壁下端に形成された四方ベース板縁２Ｃと４Ｃとは、キュービクル本体設置用基礎コンクリート面上にアンカーボルトで固着される。
【００３７】
1−v）  以下、キュービクル保護カバー１の組み立て方法を説明する。
・第１工程：キュービクル本体設置用基礎コンクリート面上にキュービクル保護カバー設置寸法図に基づき墨出し線引きを行った後、前後壁部２と左右壁部４のそれぞれの下端のベース板縁２Ｃと４Ｃに施されている連結ボルト孔Ｂと同寸法でコンクリート上面に穴を穿設し、アンカー金具を埋め込む。
【００３８】
・第２工程：基礎コンクリート面上に埋設したアンカー金具の位置と、前後壁部２と左右壁部４のそれぞれのベース板縁２Ｃと４Ｃに穿設した連結ボルト孔Ｂとが一致する位置でボルトを貫通し緊締させる。
【００３９】
・第３工程：前後壁部２と左右壁部４の四方壁が基礎コンクリート面上に形成されることにより、前後壁部２の左右両辺に連設された連結用縁２Ｄとその連結ボルト孔Ｂが、左右壁部４の左右両辺に穿設された連結ボルト孔Ｂと一致する。この一致する位置でボルトを貫通し緊締する。
【００４０】
・第４工程：前後壁部２と左右壁部４からなる四方壁が組み立てられると同時に、前後壁部２と左右壁部４のそれぞれの上辺の連結用縁２Ｂと４Ｂにより四方連結用縁が形成される。すなわち、連結ボルト孔Ｂも四方連結用縁全体に施されていることとなる。四方壁の上に上部屋根部５を載置する。これにより、四方連結用縁２Ｂと４Ｂの上面に上部屋根部５の連結用縁５Ｃの下面が接合した状態となる。そして、上部屋根部５の連結用縁５Ｃの連結ボルト孔Ｂが、四方連結用縁２Ｂと４Ｂの連結ボルト孔Ｂと一致する位置でボルトを貫通し緊締させる。
【００４１】
・第５工程：前後壁部２に設けた凹形溝枠２Ａを具備する開口部に対し、両開き戸部３の縁３Ｂを差し込んだ状態で収納した後、前後壁部２と両開き戸部３とを蝶番Ｃを用いて取り付ける。前後壁部２と両開き戸部３の外側の面は、同一平面上に位置する。両開き戸部３は、その中心で双方の開き戸の縁３Ｂが噛み合うように一方の開き戸に凹形溝枠３Ｃが設けられる。一方の開き戸に装着した開閉金具Ｄを回転作動することにより、双方の開き戸を全開閉できる。前後壁部２の中心付近において凹形溝枠２Ａの上下に付着されたロック受金Ｅ”（図６参照）と、一方の開き戸に装着されたロック金具Ｅ（図３参照）の嵌合により、片方の開き戸のみの開閉も可能である。
【００４２】
２．キュービクル拡張保護カバー（その１）
2−i）  図１０は、図１のキュービクル保護カバー１を左右方向に２個連結したキュービクル拡張保護カバー１１の概略的平面図である。図１１は、図１０のＡ−Ａ拡大断面図である。図１２は、キュービクル拡張保護カバー１１の上部屋根部を省略した斜視図である。
【００４３】
このように２個を連結する場合、中央の隣接する２枚の左右壁部４は取り除き、最外郭の前後壁部２及び左右壁部４のみで四方壁を構成する。これにより、仕切りのない内部空間が形成される。キュービクル拡張保護カバー１１は、合成樹脂を素材とする前後壁部２と、両開き戸部３と、左右壁部４と、上部屋根部５と、屋根連結用Ｉ型拡張保持具６と、前後壁連結用拡張保持具６”とから構成されている。尚、キュービクル拡張保護カバー１１における分割パネル板である前後壁部２、両開き戸部３、左右壁部４、及び上部屋根部５については、図１のキュービクル保護カバー１におけるそれぞれの分割パネル板と同一の構造である。
【００４４】
2−ii）  図１３は、屋根連結用Ｉ型拡張保持具６の斜視図である。屋根連結用Ｉ型拡張保持具６は、全体形状としてＩ型樋形状部を有する。このＩ型樋形状部は、対向する側壁のそれぞれの上端縁６Ａ１と、Ｉ型樋形状部の左右両端面における凹形状縁６Ａ２と、左右両端面近傍下面に凹形状縁６Ａ２と平行に設けたストッパー板６Ａ３とを具備する。
【００４５】
図１２に示す通り、連結する２枚の前後壁部２の各々の連結用縁２Ｂの左右両端の切り欠き部２Ｂ１（図５参照）により形成される小空間２Ｂ２に対して、Ｉ型樋形状部の凹形状縁６Ａ２及びストッパー板６Ａ３をそれぞれ差し込むことができる。また、隣り合う上部屋根部５の各々の下辺枠縁５ＤがＩ型樋形状部内に収納される状態で上部屋根部５の各々を載置することができる。
【００４６】
図１４は、前後壁連結用拡張保持具６”の斜視図である。前後壁連結用拡張保持具６”は、全体形状として断面凹形状柱部を有する。この断面凹形状柱部は、対向する側壁６Ａ４”と、対向する側壁のそれぞれの前端から外側へ延びる一対の端縁６Ａ１”と、上端縁６Ａ２”とを具備する。側壁６Ａ４”には連結ボルト孔Ｂが穿設されている。
【００４７】
図１５は、屋根連結用Ｉ型拡張保持具６と前後壁連結用拡張保持具６”の連結状態の断面図である。屋根連結用Ｉ型拡張保持具６の凹形状縁６Ａ２とストッパー板６Ａ３の間に、前後壁連結用拡張保持具６”の上端縁６Ａ２”を挿入可能である。
【００４８】
図１６は、前後壁連結用拡張保持具６”と前後壁部２との取付断面図である。前後壁部２の左右両辺の連結用縁２Ｄと、前後壁連結用拡張保持具６”の側壁６Ａ４”のそれぞれの連結ボルト孔Ｂを一致させてボルトを貫通緊締し、連結することができる。
【００４９】
このように、屋根連結用Ｉ型拡張保持具６及び前後壁連結用拡張保持具６”を用いて一対の左右壁部４のパネル板の間に、前後壁部２のパネル板の対を任意の数だけ挿入すると共に、前後壁部２の対と同数の上部屋根部５のパネル板を載置することで、キュービクル拡張保護カバー１１を一方向へ無限に拡張することができる。
【００５０】
2−iii）  キュービクル拡張保護カバー１１の組み立て方法を説明する。
・第１工程：キュービクル本体設置用基礎コンクリート面上にキュービクル拡張保護カバー設置寸法図に基づき墨出し線引きを行った後、前後壁部２と左右壁部４の下端のベース板縁２Ｃと４Ｃの連結ボルト孔Ｂと同寸法でコンクリート面に穴を穿設し、アンカー金具を埋め込む。
【００５１】
・第２工程：前後壁連結用拡張保持具６”を介在させて任意の数の前後壁部２を配置すると共に、一対の左右壁部４を配置する。基礎コンクリート面上に埋設したアンカー金具穴に対し、前後壁部２の下端のベース板縁２Ｃと左右壁部４の下端のベース板縁４Ｃの連結ボルト孔Ｂを一致させ、ボルトを貫通し緊締して組み立てる。こうして、任意の数の前後壁部２と、一対の左右壁部４とによる四方壁が基礎コンクリート面上に形成される。
【００５２】
・第３工程：前後壁部２の左右両辺の連結用縁２Ｄと前後壁連結用拡張保持具６”の連結用枠６Ａ４の連結ボルト孔Ｂを一致させ、ボルトを貫通し緊諦する。任意の数だけ連結された前後壁部２のうち末端に位置するものについては、連結用縁２Ｄの連結ボルト孔Ｂと左右壁部４の左右両辺の連結ボルト孔Ｂを一致させ、ボルトを貫通し緊諦する。
【００５３】
・第４工程：前後壁連結用拡張保持具６”により連結された前後壁部２と、左右壁部４によって、拡張された四方壁が形成される。この状態で、前後壁部２及び左右壁部４の上辺の連結用縁２Ｂ及び４Ｂによって四方連結用縁が形成され、連結ボルト孔Ｂが四方面に施されている。同時に、隣り合う前後壁部２の連結用縁２Ｂの切り欠き部２Ｂ１により小空間２Ｂ２が形成されている。続いて、対向する前後壁部２の間に屋根連結用Ｉ型拡張保持具６を差し渡し、この小空間２Ｂ２に組み込む。屋根連結用Ｉ型拡張保持具６の各端部は、前後壁連結用拡張保持具６”の上端縁６Ａ２”と接合する。すなわち、屋根連結用Ｉ型拡張保持具６の凹形状縁６Ａ２とストッパ板６Ａ３の間に６Ａ２”が差し込まれる。これにより、前後壁部２の撓みを保護し、パネルの強度を確保すると共に屋根接続時の防水の役割も果たす。
【００５４】
拡張形成された四方連結用縁の上面に載置された上部屋根部５の連結用縁５Ｃの下面が接合するので、それぞれの連結ボルト孔Ｂを一致させてボルトを貫通し緊諦する。
【００５５】
・第５工程：前後壁部２に設けた凹形溝枠２Ａを具備する開口部に対し、両開き戸部３の縁３Ｂを差し込んだ状態で収納した後、前後壁部２と両開き戸部３とを蝶番Ｃを用いて取り付ける。前後壁部２と両開き戸部３の外側の面は、同一平面上に位置する。両開き戸部３は、その中心で双方の開き戸の縁３Ｂが噛み合うように一方の開き戸に凹形溝枠３Ｃが設けられる。一方の開き戸に装着した開閉金具Ｄを回転作動することにより、双方の開き戸を全開閉できる。前後壁部２の中心付近において凹形溝枠２Ａの上下に付着されたロック受金Ｅ”（図６参照）と、一方の開き戸に装着されたロック金具Ｅ（図３参照）の嵌合により、片方の開き戸のみの開閉も可能である。
【００５６】
３．キュービクル拡張保護カバー（その２）
3−i）  図１７は、図１のキュービクル保護カバー１を前後左右に４個連結したキュービクル拡張保護カバー１１１の概略的平面図である。図１８は、図１７のＢ−Ｂ断面図である。図１９は、図１７のＣ−Ｃ断面図である。
【００５７】
このように左右方向及び前後方向に任意の数のキュービクル保護カバー１を連結する場合、内部の仕切りとなる隣接する２枚の前後壁部２及び左右壁部４は取り除き、最外郭の前後壁部２及び左右壁部４のみで側壁を構成する。これにより、仕切りのない内部空間が形成される。
【００５８】
キュービクル拡張保護カバー１１１は、合成樹脂を素材とする前後壁部２と、両開き戸部３と、左右壁部４と、上部屋根部５と、屋根連結用十字型拡張保持具７と、前後壁連結用拡張保持具６”と、左右壁連結用拡張保持具７”とから構成されている。尚、第３発明に係るキュービクル保護カバー１１１における分割パネル板である前後壁部２、両開き戸部３、左右壁部４、及び上部屋根部５はそれぞれ、前述のキュービクル保護カバー１における分割パネル板と同一の構造である。
【００５９】
3−ii）  図２０は、屋根連結用十字型拡張保持具７の斜視図である。十字型拡張保持具７は、全体形状として十字型樋形状部を有する。この十字型樋形状部は、十字型樋形状部の各側壁の上端縁７Ａ１と、４箇所の十字型各端面における凹形状縁７Ａ２と、４つの各端面近傍下面において凹形状縁７Ａ２と平行に設けたストッパー板７Ａ３とを具備する。
【００６０】
連結する２枚の前後壁部２の各々の連結用縁２Ｂの左右両端の例えば切り欠き部２Ｂ１により小空間２Ｂ２が形成される。同様に、連結する２枚の左右壁部４の各々の連結用縁４Ｂの左右両端のＬ形状切り欠き部４Ｂ１により小空間４Ｂ２が形成される。これらの小空間２Ｂ２、４Ｂ２に対し、屋根連結用十字型拡張保持具７の凹形状縁７Ａ２及びストッパー板７Ａ３をそれぞれ差し込むことができる。また、隣り合う上部屋根部５の各々の下辺枠縁５Ｄが十字型樋形状部内に収納される状態で上部屋根部５の各々を載置することができる。
【００６１】
前後壁連結用拡張保持具６”については、前述のものと同じである。すなわち、前後壁連結用拡張保持具６”は、断面凹形状柱部と、この断面凹形状柱部の対向する側壁６Ａ４”と、一対の端縁６Ａ１”と、上端縁６Ａ２”とを具備し、さらに側壁６Ａ４”に穿設された連結ボルト孔Ｂを具備する。屋根連結用十字型拡張保持具７の凹形状縁７Ａ２とストッパー板７Ａ３の間に上端縁６Ａ２”を挿入できる。また、前後壁部２の左右両辺の連結用縁２Ｄと側壁６Ａ４”とを連結ボルト孔Ｂにより連結可能である。
【００６２】
図２１は、左右壁連結用拡張保持具７”の斜視図である。左右壁連結用拡張保持具７”は、全体形状として断面凹形状柱部を有する。この断面凹形状柱部は、対向する側壁７Ａ４”と、一対の端縁７Ａ１”と、上端縁７Ａ２”とを具備する。一対の端縁７Ａ１”には、連結ボルト孔Ｂが穿設されている。
【００６３】
屋根連結用十字型拡張保持具７の凹形状縁７Ａ２とストッパー板７Ａ３の間に左右壁連結用拡張保持具７”の上端縁７Ａ２”を挿入することができる。
【００６４】
図２２は、左右壁連結用拡張保持部７”と左右壁部４との取付断面図である。左右壁部４の左右両辺と、左右壁連結用拡張保持具７”の端縁７Ａ１”とを連結ボルト孔Ｂにより連結可能である。
【００６５】
屋根連結用十字型拡張保持具７、前後壁連結用拡張保持具６”及び左右壁連結用拡張保持具７”を用いて、前後壁部２のパネル板と、左右壁部４のパネル板をそれぞれ２枚接合組立し、対応する数の上部屋根部５のパネル板を載置することで多方向へ無限に拡張できる。
【００６６】
3−iii）  キュービクル拡張保護カバー１１１の組立て方法を説明する。
・第１工程：キュービクル本体設置用基礎コンクリート面上に拡張するキュービクル拡張保護カバー設置寸法図に基づき墨出し線引きを行った後、前後壁部２と左右壁部４の下端のベース板縁２Ｃと４Ｃに施されている連結ボルト孔Ｂと同寸法でコンクリート上面に穴を開けアンカー金具を埋め込む。
【００６７】
・第２工程：前後壁連結用拡張保持具６”を介在させて前後壁部２を配置すると共に、左右壁連結用拡張保持具７”を介在させて左右壁部４を配置する。同時に、基礎コンクリート面上に埋設したアンカー金具穴に対し、前後壁部２の下端のベース板縁２Ｃと左右壁部４の下端のベース板縁４Ｃの連結ボルト孔Ｂを一致させ、ボルトを貫通し緊締して組み立てる。
【００６８】
・第３工程：前後壁部２の左右両辺の連結用縁２Ｄと前後壁連結用拡張保持具６”の連結用枠６Ａ４の連結ボルト孔Ｂを一致させ、ボルトを貫通し緊諦する。また、左右壁部４の左右両辺と左右壁連結用拡張保持具７”の端縁７Ａ１”の連結ボルト孔Ｂを一致させ、ボルトを貫通し緊締する。尚、複数の前後壁部２及び複数の左右壁部４を連結した場合、それぞれの末端に位置するものについては、前後壁部２の連結用縁２Ｄの連結ボルト孔Ｂと左右壁部４の左右両辺の連結ボルト孔Ｂを一致させ、ボルトを貫通し緊諦する。
【００６９】
・第４工程：前後壁連結用拡張保持具６”により連結された前後壁部２と、左右壁連結用拡張保持具７”により連結された左右壁部４によって、拡張された四方壁が形成される。この状態で、前後壁部２及び左右壁部４の上辺の連結用縁２Ｂ及び４Ｂによって四方連結用縁が形成され、連結ボルト孔Ｂが四方面に施されている。同時に、隣り合う前後壁部２の連結用縁２Ｂの切り欠き部２Ｂ１により小空間２Ｂ２が形成されると共に、隣り合う左右壁部４の連結用縁４Ｂの切り欠き部４Ｂ１により小空間４Ｂ２が形成されている。続いて、四方壁の上に屋根連結用十字型拡張保持具７を差し渡し、これらの小空間２Ｂ２、４Ｂ２に組み込む。屋根連結用十字型拡張保持具７の４箇所の各端部のうち、対向する２つの端部は前後壁連結用拡張保持具６”の上端縁６Ａ２”と接合する。すなわち、屋根連結用十字型拡張保持具７の凹形状縁７Ａ２とストッパ板７Ａ３の間に上端縁６Ａ２”が差し込まれる。また、他の対向する２つの端部は、左右壁連結用拡張保持具７”の上端縁７Ａ２”と接合する。すなわち、屋根連結用十字型拡張保持具７の凹形状縁７Ａ２とストッパ板７Ａ３の間に上端縁７Ａ２”が差し込まれる。これにより、前後壁部２及び左右壁部４の撓みを保護し、パネルの強度を確保すると共に屋根接続時の防水の役割も果たす。
【００７０】
拡張形成された四方連結用縁の上面に載置された上部屋根部５の連結用縁５Ｃの下面が接合するので、それぞれの連結ボルト孔Ｂを一致させてボルトを貫通し緊諦する。
【００７１】
・第５工程：前後壁部２に設けた凹形溝枠２Ａを具備する開口部に対し、両開き戸部３の縁３Ｂを差し込んだ状態で収納した後、前後壁部２と両開き戸部３とを蝶番Ｃを用いて取り付ける。前後壁部２と両開き戸部３の外側の面は、同一平面上に位置する。両開き戸部３は、その中心で双方の開き戸の縁３Ｂが噛み合うように一方の開き戸に凹形溝枠３Ｃが設けられる。一方の開き戸に装着した開閉金具Ｄを回転作動することにより、双方の開き戸を全開閉できる。前後壁部２の中心付近において凹形溝枠２Ａの上下に付着されたロック受金Ｅ”（図６参照）と、一方の開き戸に装着されたロック金具Ｅ（図３参照）の嵌合により、片方の開き戸のみの開閉も可能である。
【実施例１】
【００７２】
寸法的には下記の状態のものが有用であった。
キュービクル本体と前後壁部の間の空間幅３００mmを両側に加える。キュービクル本体と左右壁部の間の空間幅３００mmを両側に加える。キュービクル本体と上部屋根部の間の空間幅３００mmを加える。
【図面の簡単な説明】
【００７３】
【図１】本発明によるキュービクル保護カバー１の斜視図である。
【図２】図１のキュービクル保護カバー１の一部を切り欠いた斜視図である。
【図３】図１のキュービクル保護カバー１を正面方向から見た両開き戸部３を開いた状態の斜視図である。
【図４】図１のキュービクル保護カバー１を背面方向から見た両開き戸部３を開いた状態の斜視図である。
【図５】図１のキュービクル保護カバー１の要部の分解斜視図である。
【図６】前壁部の分解斜視図である。
【図７】両開き戸部３の分解斜視図である。
【図８】両開き戸部３の断面図である。
【図９】左右壁部４の拡大斜視図である。
【図１０】本発明の第２発明に係るキュービクル保護カバー１１の概略的平面図である。
【図１１】図１０のＡ−Ａ拡大断面図である。
【図１２】第２発明の一部を省略した斜視図である。
【図１３】屋根連結用Ｉ型拡張保持具の斜視図である。
【図１４】前後壁連結用拡張保持具の斜視図である。
【図１５】Ｉ型拡張保持具の連結状態の断面図である。
【図１６】前後壁連結用拡張保持具６”と前後壁部２との取付断面図である。
【図１７】図１のキュービクル保護カバー１を前後左右に４個連結したキュービクル拡張保護カバー１１１の概略的平面図である。
【図１８】図１７のＢ−Ｂ断面図である。
【図１９】図１９は、図１７のＣ−Ｃ断面図である。
【図２０】屋根連結用十字型拡張保持具７の斜視図である。
【図２１】左右壁連結用拡張保持具７”の斜視図である。
【図２２】左右壁連結用拡張保持部７”と左右壁部４との取付断面図である。
【符号の説明】
【００７４】
１  キュービクル保護カバー
１１、１１１  キュービクル拡張保護カバー
２  前後壁部
２Ａ  凹型溝枠
２Ｂ  連結用縁
２Ｂ１  切り欠き部
２Ｂ２  小空間
２Ｃ  ベース板縁
２Ｄ  連結用縁
３  両開き戸部
３Ａ  凹凸形状面
３Ｂ  縁
３Ｃ  凹型溝枠
４  左右壁部
４Ａ  凹凸形状面
４Ａ１  凸部
４Ａ２  内張板
４Ａ３  換気孔
４Ｂ  連結用縁
４Ｂ１  切り欠き部
４Ｂ２  小空間  
５  上部屋根部
５Ａ  凹凸形状面
５Ｂ  下辺枠
５Ｃ  連結用縁
５Ｄ  下辺枠縁
６  屋根連結用Ｉ型拡張保持具
６Ａ１  上端縁
６Ａ２  凹形状縁
６Ａ３  ストッパー板
６”  前後壁連結用拡張保持具
６Ａ１”  端縁
６Ａ２”  上端縁
６Ａ４”  側壁
７  屋根連結用十字型拡張保持具
７Ａ１  上端縁
７Ａ２  凹形状縁
７Ａ３  ストッパー板
７”  左右壁連結用拡張保持具
７Ａ１”  端縁
７Ａ２”  上端縁
７Ａ４”  側壁
Ｂ  連結ボルト孔
Ｃ  両開き戸用蝶番
Ｄ  両開き戸用開閉操作金具
Ｅ  両開き戸用ロック金具
Ｆ  両開き戸内部点検窓
Ｇ  換気扇
【図１】
2005168078.tif 000003
【図２】
2005168078.tif 000004
【図３】
2005168078.tif 000005
【図４】
2005168078.tif 000006
【図５】
2005168078.tif 000007
【図６】
2005168078.tif 000008
【図７】
2005168078.tif 000009
【図８】
2005168078.tif 000010
【図９】
2005168078.tif 000011
【図１０】
2005168078.tif 000012
【図１１】
2005168078.tif 000013
【図１２】
2005168078.tif 000014
【図１３】
2005168078.tif 000015
【図１４】
2005168078.tif 000016
【図１５】
2005168078.tif 000017
【図１６】
2005168078.tif 000018
【図１７】
2005168078.tif 000019
【図１８】
2005168078.tif 000020
【図１９】
2005168078.tif 000021
【図２０】
2005168078.tif 000022
【図２１】
2005168078.tif 000023
【図２２】
2005168078.tif 000024